(57)【要約】【課題】キリの位置決めが行い易い防塵カバー付き電動工具を提供する。【解決手段】キリ２０の前端部を除いてキリ２０を覆う蛇腹状で筒状の防塵カバー２４を工具本体１２に取り付け、この防塵カバー２４の前部が開口し、この開口部に位置決め部材２６が掛け渡されると共に、この位置決め部材２６はゴムによって形成されその中央部にキリ２０が貫通する位置決め孔３２が開口しているものである。【選択図】      図１
2005007829.tif 000002
【特許請求の範囲】
【請求項１】
モータが内蔵された工具本体より突出したドリル、キリなどの孔開け部材を前記モータによって回転させて、コンクリートなどの対象物に対し孔を開けるものであり、
前記孔開け部材の前端部を除いて前記孔開け部材を覆う蛇腹状で、かつ、筒状の防塵カバーの後部を前記工具本体に取り付け、
前記孔開け部材の孔開けによって前記対象物から発生した切粉を前記防塵カバーの内部に集塵する防塵カバー付き電動工具において、
前記防塵カバーの前部が開口し、この開口部に位置決め部材が掛け渡されると共に、前記位置決め部材を除く前記開口部が前記切粉の集塵開口部であり、
前記位置決め部材は、弾性部材によって形成され、その中央部分に前記孔開け部材が貫通する位置決め孔が開口し、
前記防塵カバーの後部が閉塞されている
ことを特徴とする防塵カバー付き電動工具。
【請求項２】
前記位置決め部材における位置決め孔の両側に前記切粉の集塵孔が開口する
ことを特徴とする請求項１記載の防塵カバー付き電動工具。
【請求項３】
前記位置決め部材がゴム製である
ことを特徴とする請求項１記載の防塵カバー付き電動工具。
【請求項４】
前記位置決め部材が円錐形であり、前記孔開け部材の前端部側ほど突出し、その円錐形の位置決め部材の中央部に前記位置決め孔が開口している
ことを特徴とする請求項１記載の防塵カバー付き電動工具。
【請求項５】
前記防塵カバー内部から前記孔開け部材に向かって、少なくとも一対の金属製の孔開け部材支持板が突出している
ことを特徴とする請求項１から４の中で少なくとも一項に記載の防塵カバー付き電動工具。
【請求項６】
前記一対の孔開け部材支持板の先端部が三角形状、または、半円形状に切り欠かれている
ことを特徴とする請求項５記載の防塵カバー付き電動工具。
【請求項７】
前記防塵カバー内部の前記切粉を吸引する吸引手段を有する
ことを特徴とする請求項１から６の中で少なくとも一項に記載の防塵カバー付き電動工具。
【請求項８】
前記吸引手段は、
前記防塵カバーから突出し、その内部と連通している吸引筒部と、
前記吸引筒部に取り付けられたホースと、
前記ホースの先端に取り付けられた吸引装置と、
を有する
ことを特徴とする請求項７に記載の防塵カバー付き電動工具。
【発明の詳細な説明】
【０００１】
【発明の属する技術分野】
本発明は、コンクリートなどの孔開けに使用するキリ、ドリルなどの防塵カバー付き電動工具に関するものである。
【０００２】
【従来技術】
従来より、コンクリートなどの孔開けに使用する電動工具においては、そのコンクリートの切粉を集塵するために防塵カバーが設けられている。
【０００３】
この防塵カバーは、蛇腹状の筒体と、この筒体の基部に繋がる装着体とを有し、この装着体が電動工具本体に着脱可能に装着され、ドリルにより窮孔作業の際に、その孔開け作業の進行に伴って筒体が収縮しながら終始ドリルを筒体が覆うこととなり、その孔開け作業によって発生する切粉が外部に飛散するのを防止する（特許文献１、特許文献２、特許文献３）。
【０００４】
【特許文献１】
実開平６−８５７７１号公報
【０００５】
【特許文献２】
特開２０００−３１７７０９
【０００６】
【特許文献３】
特開２００１−５４８３７
【０００７】
【発明が解決しようとする課題】
しかしながら、上記構成の防塵カバー付き電動工具であると、防塵カバーの外側からキリやドリルなどの先端が確認できず、孔開け作業中にドリルやキリの先端の位置決めがしにくいという問題点がある。すなわち、ドリルやキリなどの先端の位置確認がしにくいため、コンクリートなどの壁に対し位置決めがしにくいという問題点がある。
【０００８】
また、電動工具を上向きに使う孔開け作業においては、孔の開き始めにおいてドリルやキリなどがコンクリートなどの天井面から滑って逃げてしまい、位置決めが困難であるという問題点もある。
【０００９】
そこで、本発明は上記問題点に鑑み、ドリルやキリなどの孔開け部材の位置決めが行い易い防塵カバー付き電動工具を提供するものである。
【００１０】
【課題を解決するための手段】
請求項１の発明は、モータが内蔵された工具本体より突出したドリル、キリなどの孔開け部材を前記モータによって回転させて、コンクリートなどの対象物に対し孔を開けるものであり、前記孔開け部材の前端部を除いて前記孔開け部材を覆う蛇腹状で、かつ、筒状の防塵カバーの後部を前記工具本体に取り付け、前記孔開け部材の孔開けによって前記対象物から発生した切粉を前記防塵カバーの内部に集塵する防塵カバー付き電動工具において、前記防塵カバーの前部が開口し、この開口部に位置決め部材が掛け渡されると共に、前記位置決め部材を除く前記開口部が前記切粉の集塵開口部であり、前記位置決め部材は、弾性部材によって形成され、その中央部分に前記孔開け部材が貫通する位置決め孔が開口し、前記防塵カバーの後部が閉塞されていることを特徴とする防塵カバー付き電動工具である。
【００１１】
請求項２の発明は、前記位置決め部材における位置決め孔の両側に前記切粉の集塵孔が開口することを特徴とする請求項１記載の防塵カバー付き電動工具である。
【００１２】
請求項３の発明は、前記位置決め部材がゴム製であることを特徴とする請求項１記載の防塵カバー付き電動工具である。
【００１３】
請求項４の発明は、前記位置決め部材が円錐形であり、前記孔開け部材の前端部側ほど突出し、その円錐形の位置決め部材の中央部に前記位置決め孔が開口していることを特徴とする請求項１記載の防塵カバー付き電動工具である。
【００１４】
請求項５の発明は、前記防塵カバー内部から前記孔開け部材に向かって、少なくとも一対の金属製の孔開け部材支持板が突出していることを特徴とする請求項１から４の中で少なくとも一項に記載の防塵カバー付き電動工具である。
【００１５】
請求項６の発明は、前記一対の孔開け部材支持板の先端部が、三角形状、または、半円形状に切り欠かれていることを特徴とする請求項５記載の防塵カバー付き電動工具である。
【００１６】
請求項７の発明は、前記防塵カバー内部の前記切粉を吸引する吸引手段を有することを特徴とする請求項１から６の中で少なくとも一項に記載の防塵カバー付き電動工具である。
【００１７】
請求項８の発明において、前記吸引手段は、前記防塵カバーから突出し、その内部と連通している吸引筒部と、前記吸引筒部に取り付けられたホースと、前記ホースの先端に取り付けられた吸引装置と、を有することを特徴とする請求項７に記載の防塵カバー付き電動工具である。
【００１８】
【作  用】
請求項１の防塵カバー付き電動工具であると、防塵カバーの前部にある位置決め部材の中央部にある位置決め孔からドリルやキリなどの孔開け部材が突出し、作業者がその孔開け部材の前端部を確認できるため、位置決めが容易となる。
【００１９】
また、この位置決め部材の周りには集塵開口部が開口しているため、切粉を確実に防塵カバー内部に集塵することができる。
【００２０】
請求項２の防塵カバー付き電動工具であると、位置決め部材における位置決め孔の両側にも集塵孔が開口しているため、切粉を確実に集塵することができる。
【００２１】
請求項３の防塵カバー付き電動工具であると、位置決め部材がゴム製であるため、孔開け作業中にこの位置決め部材が対象物に当たっても、作業の障害とならない。
【００２２】
請求項４の防塵カバー付き電動工具であると、位置決め部材が円錐形であり、その中央部から孔開け部材が突出しているため、より位置決めを確認し易い。
【００２３】
請求項５の防塵カバー付き電動工具であると、一対の金属製の孔開け部材支持板によって孔開け部材が支持されているため、位置決め孔に対して孔開け部材がずれたりすることがない。
【００２４】
請求項６の防塵カバー付き電動工具であると、孔開け部材支持板の先端部が三角形状に切り欠かれているため、孔開け部材を確実に支持することができる。
【００２５】
請求項７の防塵カバー付き電動工具であると、吸引手段によって防塵カバー内部の切粉を全て吸引することができる。
【００２６】
請求項８の防塵カバー付き電動工具であると、吸引装置で吸引すると、ホースと吸引筒部を介して、防塵カバー内部の切粉を全て吸引することができる。
【００２７】
【発明の実施の形態】
以下、本発明の一実施形態の孔開け用の防塵カバー付き電動工具１０について説明する。
【００２８】
（１）電動工具１０の構成
この電動工具１０の工具本体１２はピストル型であって、工具本体１２の後部からグリップ１４が突出している。この工具本体１２内部には、駆動源であるモータが内蔵され、グリップ１４に設けられているレバー１６によって操作を行うことができる。
【００２９】
工具本体１２の前部には、サイドハンドル１８が突出している。また、この工具本体１２の前端部には、孔開け部材であるキリ２０を固定するためのチャック２２が設けられている。
【００３０】
キリ２０には、蛇腹状で、かつ、円筒状の合成樹脂製の透明な防塵カバー２４が被せられている。
【００３１】
防塵カバー２４の軸方向の長さはキリ２０の軸方向の長さよりも若干短く、蛇腹状の防塵カバー２４が伸びた状態であっても、キリ２０の前端部が突出した状態となっている。
【００３２】
防塵カバー２４の後部にある装着部２５は、工具本体１２の前端部にネジ止めされている。これによって防塵カバー２４の後部は閉塞された状態となっている。
【００３３】
防塵カバー２４の前部は開口し、この開口部分に位置決め部材２６が掛け渡されている。
【００３４】
この位置決め部材２６はゴム製であって、中央部分にある円形の位置決め板２８とその位置決め板２８の外周部から両側に突出した一対の取付部３０、３０とより構成されている。この一対の取付部３０，３０は防塵カバー２４の前部の縁部に固定されている。この合成樹脂製の防塵カバー２４とゴム製の位置決め部材２６とは一体成型により固定されている。
【００３５】
位置決め板２８は円錐形であり、前部ほど突出した形状となっており、その中央部にキリ２０が貫通する位置決め孔３２が開口している。また、この位置決め孔３２の両側には円弧状の集塵孔３４、３４が一対開口している。
【００３６】
この防塵カバー２４の前部の開口部であって、位置決め部材２６に覆われていない部分が集塵開口部３６となる。
【００３７】
防塵カバー２４の後部近傍には、吸引筒部３８が突出し、この吸引筒部３８は防塵カバー３８内部と連通している。この吸引筒部３８にはホース４０を介して不図示のブロワなどの吸引装置が接続されている。このブロワを動作させると吸引筒部３８から防塵カバー２４内部の切粉を吸引できる。
【００３８】
防塵カバー２４の内周側であって、かつ、防塵カバー２４の前部近傍の上部と下部には孔開け部材支持板４２，４２がそれぞれ突出している。この一対の孔開け部材支持板４２、４２は金属製であり、その先端部は三角形状に切り欠かれ、図１に示すように一対の三角形状の孔開け部材支持板４２，４２の先端部で、回転しているキリ２０の上部と下部を支持する。
【００３９】
（２）電動工具１０の使用状態
上記構成の電動工具１０の使用状態について図２及び図３に基づいて説明する図２に示すように、透明な防塵カバー２４の前部にある位置決め孔３２からキリ２０の前端部を突出させた状態で、電動工具１０を水平状態にして孔を開ける対象物であるコンクリート５０に近付ける。この場合にキリ２０の前端部は円錐形の位置決め部材２６から突出した状態となっているため、コンクリート５０に対しキリ２０の前端部の位置決めが行い易い。
【００４０】
図３に示すように、レバー１６を操作して孔開け作業を開始すると、キリ２０がコンクリート５０に進入した分だけ蛇腹状の防塵カバー２４が縮むと共に、防塵カバー２４の内部には、集塵孔３４と集塵開口部３６からコンクリート５０の破片である切粉が侵入する。この侵入した切粉は吸引筒部３８から外部に排出される。
【００４１】
また、この孔開け作業中に位置決め部材２６はゴム製であるため、コンクリート５０の壁面に合わせて変形し、孔開け作業の障害とならない。また、この作業中においてはキリ２０が一対の孔開け部材支持板４２，４２によって、その上部と下部とが支持されているためキリ２０の軸線上の動きがぶれたりすることなく確実に位置決めしつつ作業を行うことができる。
【００４２】
なお、図２及び図３では水平作業について説明したが、天井面のコンクリートなどに孔を開ける場合であっても、キリ２０が垂直方向になっても確実に位置決めを行うことができる。
【００４３】
（変更例）
本発明は、上記実施形態に限らず、本発明の趣旨を逸脱しない範囲で種々変形して実施できることは言うまでもなく、以下、その変更例を説明する。
【００４４】
（１）変更例１
上記実施形態では、孔開け部材としてキリ２０で説明したが、これに代えてドリルなどの他の孔開け部材であってもよい。
【００４５】
（２）変更例２
上記実施形態では、防塵カバー２４内部の切粉を吸引筒部３８から吸引したが、発生する切粉が少ない場合には、この吸引手段を設ける必要がない。
【００４６】
（３）変更例３
上記実施形態では、位置決め部材２６としてゴムを用いたが、これに代えて他の弾性部材を用いてもよい。
【００４７】
（４）変更例４
上記実施形態では、一対の孔開け部材支持板４２、４２を設けたが、孔開け部材の支持を確実にするために、４５°毎に４個の孔開け部材支持板４２、４２、．４２、４２すなわち、二対の孔開け部材支持板を設けてもよい。
【００４８】
（５）変更例５
上記実施形態では、一対の孔開け部材支持板４２の先端を三角形状に切り欠いたが、これに代えて、切り欠かず直線状であっても、また、半円形状であってもよく、その他、支持できる形状であればどのような形状でもよい。
【００４９】
【発明の効果】
以上により本発明の防塵カバー付き電動工具であると、対象物に対し、キリ、ドリルなどの孔開け部材の位置決めを確実に行うことができると共に、切粉を確実に集塵することができる。そのために、電動工具を水平にしても上向けにしても、コンクリートなどの孔開けに好適である。
【図面の簡単な説明】
【図１】本発明の一実施形態を示す防塵カバー付き電動工具の斜視図である。
【図２】同じく防塵カバー付き電動工具を用いて孔を開けようとしている状態の説明図である。
【図３】同じく防塵カバー付き電動工具を用いて孔を開けている状態の説明図である。
【符号の説明】
１０  電動工具
１２  工具本体
２０  キリ
２４  防塵カバー
２６  位置決め部材
２８  位置決め板
３０  取付部
３２  位置決め孔
３４  集塵孔
３６  集塵開口部
３８  吸引筒部
４２  孔開け部材支持板
【図１】
2005007829.tif 000003
【図２】
2005007829.tif 000004
【図３】
2005007829.tif 000005